(57)【要約】【課題】良好な操作性を有する顕微鏡鏡筒、及び、それを備えた顕微鏡を提供する。【解決手段】顕微鏡鏡筒１０は、試料からの光を撮像光路と目視観察光路に分配する光学系１２と、光学系１２を、撮像光路に分配される光量に対する目視観察光路に分配される光量の比率が異なる少なくとも３つの位置に移動させる移動手段１１と、を含んで構成される。さらに、顕微鏡鏡筒１０は、比率が最も低い第１の位置と比率が最も高い第２の位置が隣接するように構成される。【選択図】図１
2011164447.tif 000002
【特許請求の範囲】
【請求項１】
試料からの光を撮像光路と目視観察光路に分配する光学系と、
前記光学系を、前記撮像光路に分配される光量に対する前記目視観察光路に分配される光量の比率が異なる少なくとも３つの位置に、移動させる移動手段と、を含み、
前記少なくとも３つの位置は、
前記比率が最も低い第１の位置と、
前記比率が最も高い第２の位置と、
を含み、
前記第１の位置と前記第２の位置が隣接することを特徴とする顕微鏡鏡筒。
【請求項２】
試料からの光を撮像光路と目視観察光路の少なくとも一方に導く光学系と、
前記光学系を複数の位置に移動させる移動手段と、を含み、
前記複数の位置は、
前記光学系により前記光が前記撮像光路にのみ導かれる第１の位置と、
前記光学系により前記光が前記目視観察光路にのみ導かれる第２の位置と、
前記光学系により前記光が前記撮像光路及び前記目視観察光路に導かれる少なくとも１つの第３の位置と、を含み、
前記第１の位置と前記第２の位置が隣接することを特徴とする顕微鏡鏡筒。
【請求項３】
請求項１または請求項２に記載の顕微鏡鏡筒において、さらに、
前記光を取り込む導入口と、
前記撮像光路上に配置された第１の導出口と、
前記目視観察光路上に配置された第２の導出口と、を含むことを特徴とする顕微鏡鏡筒。
【請求項４】
請求項３に記載の顕微鏡鏡筒において、
前記移動手段は、
前記顕微鏡鏡筒に固定された直線状のガイド部と、
前記ガイド部に沿って平行移動するスライダ部と、を含み、
前記光学系は、前記スライダ部に固定されることを特徴とする顕微鏡鏡筒。
【請求項５】
請求項４に記載の顕微鏡鏡筒において、
前記移動手段は、さらに、
前記スライダ部に対して着脱可能なレバー部を含み、
前記レバー部の先端部は、前記顕微鏡鏡筒の表面に突出することを特徴とする顕微鏡鏡筒。
【請求項６】
請求項５に記載の顕微鏡鏡筒において、
前記レバー部は、前記スライダ部が移動する方向に対して略直交する、前記スライダ部の側面のいずれかに取り付けられることを特徴とする顕微鏡鏡筒。
【請求項７】
請求項３に記載の顕微鏡鏡筒において、
前記移動手段は、ターレットであり、
前記光学系は、前記ターレットに固定されることを特徴とする顕微鏡鏡筒。
【請求項８】
請求項１乃至請求項７のいずれか１項に記載の顕微鏡鏡筒と、
前記撮像光路を通って前記顕微鏡鏡筒から射出される光が入射する撮像部と、
前記目視観察光路を通って前記顕微鏡鏡筒から射出される光が入射する接眼部と、を含むことを特徴とする顕微鏡。
【発明の詳細な説明】
【技術分野】
【０００１】
本発明は、顕微鏡鏡筒、及び、顕微鏡に関する。
【背景技術】
【０００２】
複数の導出口を有し、顕微鏡本体から入射した試料からの光を、任意の導出口から選択的に射出する顕微鏡鏡筒が知られている。このような顕微鏡鏡筒を備えた顕微鏡では、試料からの光が射出される導出口を切換えることにより、撮像装置を用いた試料の撮像（及び撮像された試料の画像の観察）と、接眼部を用いた試料の目視観察と、を切換えることができる。
【０００３】
さらに、試料からの光をいずれかの導出口から射出するだけではなく、試料からの光を分割し、分割された光を複数の導出口から同時に射出することができる顕微鏡鏡筒も知られている。このような顕微鏡鏡筒は、例えば、特許文献１で開示されている。
【０００４】
特許文献１に開示される顕微鏡鏡筒では、導出口の切換えを含む、撮像光路へ分配される光量と目視観察光路へ分配される光量の比率（以降、分配比率）の変更は、導入口の上方に配置されるプリズムを切換えることによって実現される。すなわち、分配比率は、顕微鏡鏡筒内の複数のプリズムからなる光学系の移動により変化し、導入口に対する光学系の位置によって定まる。
【０００５】
このような顕微鏡鏡筒を備えた顕微鏡では、試料から十分な光量が得られる場合には、光学系を所定の位置に移動させることで、撮像と目視観察を同時に行うことができる。
【先行技術文献】
【特許文献】
【０００６】
【特許文献１】特開２００８−１９１４７１号公報
【発明の概要】
【発明が解決しようとする課題】
【０００７】
ところで、特許文献１に開示される顕微鏡鏡筒では、試料を撮像しながら目視で観察するとき（以降、分割状態と記す。）に用いられるプリズムは、試料を撮像するとき（以降、撮像状態と記す。）に用いられるプリズムと目視で試料を観察するとき（以降、目視観察状態と記す。）に用いられるプリズムの間に配置されている。
【０００８】
特許文献１に開示されるプリズムの配置では、顕微鏡利用者の操作により、光学系が移動すると、撮像光路から目視観察光路へ、または、目視観察光路から撮像光路へ、段階的に光量が移動する。つまり、操作方向と光量の移動方向の間に一定の関係がある。その結果、顕微鏡利用者は、状態の変化を容易に把握することができ、使用方法を理解しやすい。このため、従来の顕微鏡鏡筒の光学系は、分割状態での光学系の位置が、撮像状態での光学系の位置と目視観察状態での光学系の位置の間に位置するように、設計されている。
しかしながら、顕微鏡の実際の使用を想定すると、このような光学系の配置は、操作性の観点で最適ではない。
【０００９】
試料から十分な光量が得られる場合には、十分な明るさを確保しながら、撮像と目視観察を同時に行うことができる。このため、一旦、光学系を分割状態の位置に移動させると、その後、光学系を移動させて状態を変更する必要性は低い。一方、試料から得られる光量が少ない場合には、分割状態で十分な明るさを確保することは難しい。このため、十分な明るさを確保するために、いずれかの導出口から全光量（または、ほとんどの光量）を射出して、試料を撮像または目視観察する必要がある。従って、撮像と目視観察の両方を行う必要があれば、光学系を移動させて撮像状態と目視観察状態とを相互に切り換えなければならない。
【００１０】
このように、実際に使用頻度の高い状態変化は、撮像状態と目視観察状態の間の変化であるにもかかわらず、従来の顕微鏡鏡筒では、分割状態を経由しなければ、撮像状態と目視観察状態を切換えることができない。つまり、従来の顕微鏡鏡筒には、操作性に関して改善すべき余地があり、良好な操作性が実現されていない。
以上のような実情を踏まえ、本発明では、良好な操作性を有する顕微鏡鏡筒、及び、それを備えた顕微鏡を提供することを課題とする。
【課題を解決するための手段】
【００１１】
本発明の第１の観点は、試料からの光を撮像光路と目視観察光路に分配する光学系と、光学系を、撮像光路に分配される光量に対する目視観察光路に分配される光量の比率が異なる少なくとも３つの位置に、移動させる移動手段と、を含み、少なくとも３つの位置は、比率が最も低い第１の位置と、比率が最も高い第２の位置と、を含み、第１の位置と第２の位置が隣接する顕微鏡鏡筒を提供する。
【００１２】
本発明の第２の観点は、試料からの光を撮像光路と目視観察光路の少なくとも一方に導く光学系と、光学系を複数の位置に移動させる移動手段と、を含み、複数の位置は、光学系により光が撮像光路にのみ導かれる第１の位置と、光学系により光が目視観察光路にのみ導かれる第２の位置と、光学系により光が撮像光路及び目視観察光路に導かれる少なくとも１つの第３の位置と、を含み、第１の位置と第２の位置が隣接する顕微鏡鏡筒を提供する。
【００１３】
本発明の第３の観点は、第１の観点または第２の観点に記載の顕微鏡鏡筒において、さらに、光を取り込む導入口と、撮像光路上に配置された第１の導出口と、目視観察光路上に配置された第２の導出口と、を含む顕微鏡鏡筒を提供する。
本発明の第４の観点は、第３の観点に記載の顕微鏡鏡筒において、移動手段は、顕微鏡鏡筒に固定された直線状のガイド部と、ガイド部に沿って平行移動するスライダ部と、を含み、光学系は、スライダ部に固定される顕微鏡鏡筒を提供する。
【００１４】
本発明の第５の観点は、第４の観点に記載の顕微鏡鏡筒において、移動手段は、さらに、スライダ部に対して着脱可能なレバー部を含み、レバー部の先端部は、顕微鏡鏡筒の表面に突出する顕微鏡鏡筒を提供する。
本発明の第６の観点は、第５の観点に記載の顕微鏡鏡筒において、レバー部は、スライダ部が移動する方向に対して略直交する、スライダ部の側面のいずれかに取り付けられる顕微鏡鏡筒を提供する。
【００１５】
本発明の第７の観点は、第３の観点に記載の顕微鏡鏡筒において、移動手段は、ターレットであり、光学系は、ターレットに固定される顕微鏡鏡筒を提供する。
本発明の第８の観点は、第１の観点乃至第７の観点のいずれか１つに記載の顕微鏡鏡筒と、撮像光路を通って顕微鏡鏡筒から射出される光が入射する撮像部と、目視観察光路を通って顕微鏡鏡筒から射出される光が入射する接眼部と、を含む顕微鏡を提供する。
【発明の効果】
【００１６】
本発明によれば、良好な操作性を有する顕微鏡鏡筒、及び、それを備えた顕微鏡を提供することができる。
【図面の簡単な説明】
【００１７】
【図１】本発明の実施例１に係る顕微鏡の構成を例示した図である。
【図２】図１に例示される顕微鏡に含まれる顕微鏡鏡筒の内部構成を例示した斜視図である。
【図３】図１に例示される顕微鏡に含まれる顕微鏡鏡筒の内部構成を例示した上面図である。
【図４Ａ】図２に例示される顕微鏡鏡筒に含まれる光学系の断面を例示した図である。
【図４Ｂ】図２に例示される顕微鏡鏡筒に含まれる光学系の他の断面を例示した図である。
【図４Ｃ】図２に例示される顕微鏡鏡筒に含まれる光学系のさらに他の断面を例示した図である。
【図５Ａ】図１に例示される顕微鏡に含まれる顕微鏡鏡筒の操作を説明するための図である。
【図５Ｂ】図１に例示される顕微鏡に含まれる顕微鏡鏡筒の操作を説明するための図である。
【図６】実施例１に係る顕微鏡の顕微鏡鏡筒の変形例の構成を説明するための上面概略図である。
【発明を実施するための形態】
【００１８】
以下、図面を参照しながら、本発明の各実施例について説明する。
【実施例１】
【００１９】
図１は、本実施例に係る顕微鏡の構成を例示した図である。図１に例示される顕微鏡１は、顕微鏡本体２と、不図示の光源を含むランプハウス３と、顕微鏡本体２に取り付けられる顕微鏡鏡筒１０と、試料を撮像するための撮像部４と、試料を目視観察するための接眼部５と、を含んでいる。なお、図１のＸＹＺ座標系は、方向参照の便宜のために設けた右手直交座標系であり、鉛直方向がＺ軸方向と一致し、水平面がＸＹ平面と一致している。
【００２０】
ランプハウス３内の光源から射出された照明光は、顕微鏡本体２内の照明光学系を経由してコンデンサレンズ６に入射し、ステージ７上に配置された試料を照明する。照明光が照射された試料からの光は、レボルバ９に取り付けられた対物レンズ８に入射し、導入口１３から顕微鏡鏡筒１０に入射する。
【００２１】
顕微鏡鏡筒１０は、試料からの光を撮像部４に通じる撮像光路と接眼部５に通じる目視観察光路に分配する光学系１２と、光学系１２を複数の位置に移動させる移動手段１１と、試料からの光を取り込む導入口１３と、撮像光路上に配置された導出口１４（第１の導出口）と、目視観察光路上に配置された導出口１５（第２の導出口）と、を含んで構成されている。
【００２２】
導入口１３から顕微鏡鏡筒１０に入射した光は、移動手段１１により顕微鏡鏡筒１０内を移動する光学系１２に入射する。光学系１２は、試料からの光を撮像光路と目視観察光路に分配し、導出口１４、導出口１５から射出する。
【００２３】
導出口１４から射出された光、つまり、目視観察光路を通って顕微鏡鏡筒から射出された光は、撮像部４に入射し、撮像部４に含まれる不図示の撮像素子により電気信号に変換される。これにより、顕微鏡１は、電気信号に基づいて試料の画像を形成することができる。一方、導出口１５から射出された光、つまり、撮像光路を通って顕微鏡鏡筒から射出される光は、接眼部５に入射し、接眼レンズを介して顕微鏡利用者によって検出される。これにより、顕微鏡利用者は、試料を目視観察することができる。
【００２４】
なお、本明細書で“分配する”とは、いずれかの光路に全光量を割り当てることも含むものとする。つまり、光学系１２は、撮像光路と目視観察光路のいずれか一方にのみ光を分配してもよい。従って、光学系１２は、試料からの光を撮像光路と目視観察光路の少なくとも一方に導く光学系である。
【００２５】
また、本実施例に係る顕微鏡１では、移動手段１１は、顕微鏡鏡筒１０内の光学系１２を、撮像光路に分配される光量に対する目視観察光路に分配される光量の比率（以降、目視分配比率）が異なる少なくとも３つの位置に、移動させることができる。これにより、顕微鏡１は、必要に応じて、光学系１２を適切な位置に移動させることにより、撮像に適した状態（撮像状態）、目視観察に適した状態（目視観察状態）、または、その両方の同時実行に適した状態（分割状態）に、状態を切り換えることができる。
【００２６】
より具体的には、上記少なくとも３つの位置は、目視分配比率が最も低い撮像状態を実現する第１の位置と、目視分配比率が最も高い目視観察状態を実現する第２の位置と、撮像と目視観察を同時実行する分割状態を実現する少なくとも１つの第３の位置と、を含み、第１の位置と第２の位置が隣接している。なお、第１の位置は、光学系１２により光が撮像光路にのみ導かれる位置であることが望ましく、第２の位置は、光学系１２により光が目視観察光路にのみ導かれる位置であることが望ましい。また、第３の位置は、光学系１２により光が撮像光路及び目視観察光路に導かれる位置である。
【００２７】
第１の位置と第２の位置が隣接することにより、撮像状態（第１の位置）から目視観察状態（第２の位置）へ、または、目視観察状態（第２の位置）から撮像状態（第１の位置）へ、同時実行に適した分割状態（第３の位置）を経由することなく、顕微鏡の状態を変化させることができる。従って、最も使用頻度が高いと想定される状態変化を迅速に行うことが可能となり、その結果、良好な操作性を実現することができる。
【００２８】
なお、以降では、光学系１２が移動手段１１により３つの位置に移動できる場合について具体的に説明するが、特にこれに限られない。上記の位置は、４つ以上あってもよい。その場合、目視分配比率の異なる複数の分割状態（第３の状態）の位置を有することが望ましい。
以下、本実施例に係る顕微鏡鏡筒について具体的に説明する。まず、図２及び図３を参照しながら、顕微鏡鏡筒１０の内部構成について説明する。
【００２９】
図２は、図１に例示される顕微鏡に含まれる顕微鏡鏡筒の内部構成を例示した斜視図である。図３は、図１に例示される顕微鏡に含まれる顕微鏡鏡筒の内部構成を例示した上面図である。図２及び図３に例示される座標系は、図１に例示される座標系と同様に定義される。
【００３０】
図２及び図３に例示されるように、顕微鏡鏡筒１０の内部には、ガイド部１１ａとスライダ部１１ｂと不図示のレバー部とからなる移動手段１１（図１を参照）と、円筒ガラス１６と複数のプリズム（プリズム１７、プリズム１８、プリズム１９）とミラー２０からなる光学系１２（図１を参照）と、が含まれている。
【００３１】
図２に例示されるように、プリズム１７の上面には、導入口１３（図１を参照）から入射する試料からの光の光束径よりも大きな全反射膜１７ａが設けられている。また、プリズム１７とプリズム１８は接合されていて、その接合面には、全反射膜１７ａとほぼ同じ大きさの部分反射膜１７ｂが設けられている。プリズム１９は、プリズム１７と接合されていないが、プリズム１７とほとんど隙間を空けずに配置されている。また、円筒ガラス１６と、全反射膜１７ａと、部分反射膜１７ｂは、Ｙ方向に整列されている。ミラー２０は、回転軸２１を中心に回転可能に支持されている。顕微鏡利用者は、ミラー２０を回転させて、入射位置２０ａに入射した光の反射方向を調整することで、顕微鏡１（図１を参照）の俯角に変更することができる。
【００３２】
ガイド部１１ａは、顕微鏡鏡筒１０に固定された直線状のガイドである。また、スライダ部１１ｂは、図２及び図３に例示されるように、ガイド部１１ａに沿って顕微鏡鏡筒１０内をＹ方向に平行移動するスライダである。レバー部は、光学系１２（図１を参照）を移動させるために顕微鏡利用者により使用されるものであり、スライダ部１１ｂに対して着脱可能に構成されている。図２及び図３では、レバー部が取り外された状態が示されている。スライダ部１１ｂの側面には、レバー部を取り付けるための取付け部１１ｃが設けられている。取付け部１１ｃは、図３に例示されるように、スライダ部１１ｂが移動する方向（Ｙ方向）に対して略直交するスライダ部１１ｂの両側面に設けられることが望ましい。
【００３３】
スライダ部１１ｂ上には、光学系１２（図１を参照）、より厳密には、顕微鏡鏡筒１０に固定された光学系であるプリズム１９及びミラー２０を除く、円筒ガラス１６、プリズム１７、及び、プリズム１８が固定されている。このため、スライダ部１１ｂがガイド部１１ａに沿ってＹ方向に平行移動すると、スライダ部１１ｂとともに、円筒ガラス１６、プリズム１７、プリズム１８が顕微鏡鏡筒１０内を移動する。これにより、導入口１３（図１を参照）に対する光学系１２の位置が変化する。
【００３４】
より詳細には、スライダ部１１ｂは、予め決められた３つの位置のいずれかで停止するように構成されている。具体的には、スライダ部１１ｂは、導入口１３（図１を参照）と円筒ガラス１６がＺ軸方向に整列し、且つ、円筒ガラス１６と顕微鏡鏡筒１０に固定されたプリズム１９及びミラー２０とがＸ方向に整列する位置（第１の位置）、または、導入口１３とプリズム１７に設けられた全反射膜１７ａがＺ軸方向に整列し、且つ、全反射膜１７ａとプリズム１９及びミラー２０とがＸ方向に整列する位置（第２の位置）、または、導入口１３とプリズム１７に設けられた部分反射膜１７ｂがＺ軸方向に整列し、且つ、部分反射膜１７ｂとプリズム１９及びミラー２０とがＸ方向に整列する位置（第３の位置）に停止する。なお、図２及び図３は、スライダ部１１ｂが第２の位置に停止している状態が示されている。
次に、図４Ａ、図４Ｂ、及び、図４Ｃを参照しながら、顕微鏡鏡筒１０の光学系１２の作用について説明する。
【００３５】
図４Ａから図４Ｃは、図２に例示される顕微鏡鏡筒に含まれる光学系の断面を例示した図である。図４Ａは、第１の位置での、図２に示される線IV‐IVに沿った光学系の断面図である。図４Ｂは、第２の位置での、図２に示される線IV‐IVに沿った光学系の断面図である。図４Ｃは、第３の位置での、図２に示される線IV‐IVに沿った光学系の断面図である。図４Ａから図４Ｃに例示される座標系は、図１に例示される座標系と同様に定義される。
【００３６】
光学系が第１の位置にあるとき、導入口１３（図１を参照）の上方（Ｚ軸の正の方向）には、円筒ガラス１６が位置する。このため、導入口１３から顕微鏡鏡筒１０に入射した光Ｌ１は、図４Ａに例示されるように、円筒ガラス１６に入射する。光Ｌ１は、円筒ガラス１６で屈折することなく直進し、円筒ガラス１６から射出され、撮像光路に導かれる。光Ｌ１は、顕微鏡鏡筒１０内で分割されることないため、全光量が光Ｌ２として導出口１４（第１の導出口、図１を参照）から射出され、撮像部４（図１を参照）に入射する。これにより、撮像に適した撮像状態が実現される。なお、プリズム１９及びミラー２０は、第１の位置では、光に作用しない。
【００３７】
光学系が第２の位置にあるとき、導入口１３（図１を参照）の上方には、プリズム１７に設けられた全反射膜１７ａが位置する。このため、導入口１３から顕微鏡鏡筒１０に入射した光Ｌ１は、図４Ｂに例示されるように、プリズム１７に入射し、全反射膜１７ａを全反射する。そして、プリズム１９及びミラー２０を介して、目視観察光路に導かれる。光Ｌ１は、顕微鏡鏡筒１０内で分割されることないため、全光量が光Ｌ３として導出口１５（第２の導出口、図１を参照）から射出され、接眼部５（図１を参照）に入射する。これにより、目視観察に適した目視観察状態が実現される。
【００３８】
光学系が第３の位置にあるとき、導入口１３（図１を参照）の上方には、プリズム１７に設けられた部分反射膜１７ｂが位置する。このため、導入口１３から顕微鏡鏡筒１０に入射した光Ｌ１は、図４Ｃに例示されるように、プリズム１７に入射し、部分反射膜１７ｂに入射する。部分反射膜１７ｂに入射した光Ｌ１は、部分反射膜１７ｂの特性に応じて一定の割合で反射され、部分反射膜１７ｂを透過した光Ｌ２と部分反射膜１７ｂを反射した光Ｌ３に分割される。光Ｌ２は、図４Ａの光Ｌ２と同様に、導出口１４（第１の導出口、図１を参照）から射出され、撮像部４（図１を参照）に入射する。一方、光Ｌ３は、図４Ｂの光Ｌ３と同様に、導出口１５（第２の導出口、図１を参照）から射出され、接眼部５（図１を参照）に入射する。これにより、撮像と目視観察の両方の同時実行に適した分割状態が実現される。
【００３９】
なお、試料からの光に対して光学系１２（図１を参照）が上述したように作用するためには、円筒ガラス１６、プリズム１７、プリズム１８、及び、プリズム１９は、いずれも屈折率が等しい材料で形成されることが望ましい。また、円筒ガラス１６は、撮像状態での光Ｌ２の光路長を調整するための光学部材であり、円筒ガラス１６の屈折率とプリズムの屈折率が等しい場合には、円筒ガラス１６のＺ方向の幅とプリズム１８のＺ方向の幅が等しいことが望ましい。これにより、撮像状態での光Ｌ２の光路長と分割状態での光Ｌ２の光路長とが等しくなるため、撮像状態と分割状態とで、光路長に関しては同一条件の下で試料を撮像することができる。
次に、図５Ａ及び図５Ｂを参照しながら、顕微鏡鏡筒を操作について説明する。
【００４０】
図５Ａ及び図５Ｂは、図１に例示される顕微鏡に含まれる顕微鏡鏡筒の操作を説明するための図である。図５Ａから図５Ｂに例示される座標系は、図１に例示される座標系と同様に定義される。
【００４１】
顕微鏡利用者は、スライダ部１１ｂの側面の取付け部１１ｃに取り付けられたレバー部を使用して顕微鏡鏡筒を操作することで、顕微鏡の状態を変化させることができる。より具体的には、レバー部２２は、スライダ部１１ｂが移動するＹ方向に対して略直交するスライダ部１１ｂの側面のいずれか一方に取り付けられる。そして、顕微鏡利用者は、レバー部２２の先端部２２ａを掴んで、スライダ部１１ｂをＹ方向に平行移動させることにより、顕微鏡鏡筒１０内の不図示の光学系を導入口１３に対して相対的に移動させ、それによって、顕微鏡の状態を変化させることができる。
【００４２】
図５Ａ及び図５Ｂに例示されるように、取付け部１１ｃが両側面に設けられていることで、顕微鏡利用者の利き手に合わせて、レバー部２２の取り付け位置を変更することができる。このため、さらに、顕微鏡鏡筒１０の操作性が向上する。
【００４３】
また、レバー部２２をスライダ部１１ｂに取り付けた状態では、先端部２２ａは顕微鏡鏡筒１０の表面に突出する。図５Ａ及び図５Ｂに例示されるように、レバー部２２を顕微鏡鏡筒１０に最も押し込んだ状態では、レバー部２２は、顕微鏡利用者に握られる先端部２２ａを残して、顕微鏡鏡筒１０の内部に収納されることが望ましい。これにより、顕微鏡鏡筒１０の表面からのレバー部２２の突出が必要最小限に抑えられるため、レバー部２２が顕微鏡利用者の他の操作を妨げることを抑制することができる。
【００４４】
また、本実施例に係る顕微鏡鏡筒１０では、上述したようにレバー部２２は、スライダ部１１ｂに対して着脱可能である。このため、レバー部２２を用いて顕微鏡の状態を所望の状態に変化させた後に、レバー部２２を取り外してもよい。これにより、顕微鏡利用者が誤ってレバー部２２に触れてしまい、状態が変化してしまうことを防止することができる。
【００４５】
以上、本実施例に係る顕微鏡鏡筒１０では、撮像状態を実現する第１の位置と、目視観察状態を実現する第２の位置と、が隣接している。このため、顕微鏡鏡筒１０を含む顕微鏡１によれば、最も使用頻度の高い状態変化（撮像状態と目視観察状態の相互間の状態変化）を、他の状態（撮像と目視観察の同時実行に適した分割状態）を経由することなく、迅速に行うことができる。その結果、顕微鏡鏡筒１０及び顕微鏡１の良好な操作性を実現することができる。
＜変形例１＞
【００４６】
図６は、本実施例に係る顕微鏡の顕微鏡鏡筒の変形例の構成を説明するための上面概略図である。図１に例示される顕微鏡１は、顕微鏡鏡筒１０の代わりに、図６に例示される顕微鏡鏡筒２３を含んで構成されてもよい。
【００４７】
図６に例示される顕微鏡鏡筒２３の構成要素の多くは、図２及び図３に例示される顕微鏡鏡筒１０の構成要素と共通である。従って、共通する構成要素には、同一の符号を付して説明を省略する。
【００４８】
図６に例示される変形例に係る顕微鏡鏡筒２３は、移動手段としてターレット２４を含む点が、顕微鏡鏡筒１０と異なっている。顕微鏡鏡筒２３の光学系の構成は、顕微鏡鏡筒１０の光学系と同様である。ただし、顕微鏡鏡筒１０に含まれるプリズム１７が図２及び図３におけるＹＺ平面と平行な面で切断され、プリズム１７の一部とプリズム１８からなる接合プリズムと、プリズム１７の残りの一部と、に分割されている点が、顕微鏡鏡筒１０とは異なっている。そして、撮像状態を実現する円筒ガラス１６と、分割状態を実現する接合プリズムと、目視観察状態を実現するプリズム１７の一部とが、ターレット２４上に同心円状に固定されている。これにより、ターレット２４が回転することで、撮像状態と、目視観察状態と、分割状態と、を切り換えることができる。
【００４９】
なお、プリズム１９及び不図示のミラー２０が顕微鏡鏡筒２３に固定されている点は、顕微鏡鏡筒１０と同様である。図６では、プリズム１７の一部とプリズム１８からなる接合プリズムが導入口１３の上方に配置された分割状態が示されているため、プリズム１９と接合プリズムが整列されている。
【００５０】
以上、本変形例に係る顕微鏡鏡筒２３でも、撮像状態を実現する第１の位置と、目視観察状態を実現する第２の位置と、が隣接している。このため、顕微鏡鏡筒２３を含む顕微鏡によっても、顕微鏡鏡筒１０を含む顕微鏡１と同様に、最も使用頻度の高い状態変化（撮像状態と目視観察状態の相互間の状態変化）を、他の状態（撮像と目視観察の同時実行に適した分割状態）を経由することなく、迅速に行うことができる。その結果、顕微鏡鏡筒２３及び顕微鏡鏡筒２３を含む顕微鏡の良好な操作性を実現することができる。
【符号の説明】
【００５１】
１・・・顕微鏡、２・・・顕微鏡本体、３・・・ランプハウス、４・・・撮像部、５・・・接眼部、６・・・コンデンサレンズ、７・・・ステージ、８・・・対物レンズ、９・・・レボルバ、１０、２３・・・顕微鏡鏡筒、１１・・・移動手段、１１ａ・・・ガイド部、１１ｂ・・・スライダ部、１１ｃ・・・取付け部、１２・・・光学系、１３・・・導入口、１４、１５・・・導出口、１６・・・円筒ガラス、１７、１８、１９・・・プリズム、１７ａ・・・全反射膜、１７ｂ・・・部分反射膜、２０・・・ミラー、２０ａ・・・入射位置、２１・・・回転軸、２２・・・レバー部、２２ａ・・・先端部、２４・・・ターレット
【図１】
2011164447.tif 000003
【図２】
2011164447.tif 000004
【図３】
2011164447.tif 000005
【図４Ａ】
2011164447.tif 000006
【図４Ｂ】
2011164447.tif 000007
【図４Ｃ】
2011164447.tif 000008
【図５Ａ】
2011164447.tif 000009
【図５Ｂ】
2011164447.tif 000010
【図６】
2011164447.tif 000011